(57)【要約】【課題】介護施設の入居者自身に簡単な調理の機会を与えることによって痴呆の進行防止等に役立つユニットケア方法を提供することにある。【解決手段】介護施設の入居者Ｍの食事メニューに調理を必要とする少なくとも一品３１を含み、食卓３０の近傍に搬送し配置したユニットケア用配膳車１の電磁調理器２０で入居者自身が前記調理を必要とする食品を調理することを特徴とするユニットケア方法。【選択図】図６
2005034438.tif 000002
【特許請求の範囲】
【請求項１】
介護施設において実施されるユニットケアに用いる配膳車であって、各ユニットを構成
する入居者の食事又は食材の収納が可能な棚部を備えた配膳車本体にキャスターを設けて
走行可能とするとゝもに、該配膳車本体の上部に電磁調理器を配設したことを特徴とする
ユニットケア用配膳車。
【請求項２】
前記入居者の食事メニューに調理を必要とする少なくとも一品を含み、食事のときに前
記ユニットケア用配膳車を搬送して食卓の近傍に配置し、前記入居者各人又は入居者のう
ちの担当者或いは介護スタッフが、前記調理を必要とする食品をユニットケア用配膳車の
上部に設置した前記電磁調理器で調理することを特徴とする請求項１記載のユニットケア
用配膳車を用いたユニットケア方法。
【発明の詳細な説明】
【技術分野】
【０００１】
本発明は、特別養護老人ホーム，老人保健施設等の介護施設における入居者の食事の搬
送に使用するユニットケア用配膳車及び該ユニットケア用配膳車を用いたユニットケア方
法に関し、詳しくは、入居者を少人数に分け、各入居者を調理の一部に積極的に参加させ
ることにより生き甲斐の感じる楽しい食事とすることで、入居者の家庭的・人間的な介護
を目指すいわゆるユニットケアに好適な配膳車及び該配膳車を用いたユニットケア方法に
関する。
【背景技術】
【０００２】
従来の特別養護老人ホーム，老人保健施設等の介護施設では、１０人前後の介護スタッ
フが５０名以上の入居者を集団で介護する、いわゆる大規模ケアが一般的であり、これら
の施設における食事は、調理室で一括調理した人数分の料理を配膳車により大食堂まで搬
送し、テーブル上に配膳された料理を入居者が一斉に食するというものであった。
【０００３】
そして、大人数の料理を調理室から大食堂に効率よく搬送するとゝもに、料理を適温に
保持するため、従来から種々の配膳車が提案されている（下記の特許文献６を除く特許文
献１〜５参照、特許文献６については更に後述する）が、従来の配膳車は、いずれも調理
済の料理の保温又は再加熱を目的とするもので、配膳車の内部に設けた多段の棚部に電磁
誘導加熱コイルを内蔵するとゝもに、食器の裏面に磁性材料からなる発熱体（例えば金属
泊）を付設した構成となっていた。
【０００４】
このような構成からなる従来の配膳車によれば、料理を盛り付けた前記食器をトレイに
載せ、該トレイを前記棚部に収納した後１００Ｖの交流電力をインバーターにより２０〜
５０ｋＨｚの高周波電力に変換し、これを前記電磁誘導加熱コイルに供給することによっ
て前記食器の発熱体に渦電流を発生させ、ジュール熱で該食器内の料理を加熱することが
できる。これにより、調理室から大食堂のテーブルに配膳するまでの間料理を保温又は再
加熱することができ、調理から数時間が経過していても入居者は常に暖かい料理を食べら
れる。
【特許文献１】特開２００３−３８２６２６号公報（第３，４頁、図１〜５）
【特許文献２】特開２００２−３５５１２９号公報（第４〜６頁、図１〜７）
【特許文献３】特開２００２−３０８１０７号公報（第４，５頁、図１〜３）
【特許文献４】特開２００１−１５２５７号公報（第３，４頁、図１〜４）
【特許文献５】特開２０００−２２９０４０号公報（第３，４頁、図１〜４）
【特許文献６】実開昭６３−２０２３３１号公報（第３，４頁、第１図，第２図）
【発明の開示】
【発明が解決しようとする課題】
【０００５】
近年、宅老所やグループホームなどの小規模なケアが効果を上げており、従来の流れ作
業的な大規模ケアを見直し、特別養護老人ホームや老人保健施設等の介護施設に小規模な
ケアを取り入れたユニットケアが注目されている。
【０００６】
ここで、ユニットケアについて簡単に説明すると、ユニットケアとは、介護施設を複数
のユニット（生活単位）に分けて家庭的・人間的な介護を目指すものであり、例えば、定
員５０名の特別養護老人ホームを４つのユニットに分け、１ユニットを１０〜１５人で構
成する。各ユニット毎に、談話室，食堂，キッチン，トイレなどの公共スペースと、居室
（入居者の個人部屋）の個人スペースとを備える。各ユニットを２，３人の介護スタッフ
が担当し、大家族規模の集団で一般家庭の日常生活に近い内容の介護を行う。
【０００７】
かかるユニットケアでは各ユニット毎にキッチンを備え、毎食事の調理や配膳などを入
居者と介護スタッフが協力して行うこととしている。これは調理や配膳といった作業を行
うことが入居者の痴呆の進行防止に役立つとゝもに、互いのコミュニケーションの機会と
なり、また調理中の臭いや音が入居者の食欲を増進させる働きがあるからである。
【０００８】
したがって、ユニットケアでは、従来の大規模ケアのように調理室で一括調理した人数
分の料理を大食堂のテーブルに配膳し、入居者全員が一斉に食べるといった流れ作業的な
食事は行われない。このため、従来のような５０人分以上の料理を保温又は再加熱しなが
ら一度に搬送する大型の配膳車はユニットケアで使用することができず、また使用する必
要もないという問題がある。
【０００９】
一方、ユニットケアにおいて、入居者に調理させることが痴呆の進行防止等に役立つこ
とは上述の通りであるが、入居者全員に調理させることができないという問題がある。す
なわち、一般家庭用のキッチンでは設備と面積に制限があり、１ユニットを構成する１０
〜１５人の入居者全員が該キッチンを使って調理することはできず、また男性入居者など
元々高度な調理ができない者もいるからである。
【００１０】
さらに、ユニットケアでは、各ユニット毎に談話室，食堂及びデイルーム等といった公
共スペースを備えなければならないが、これらを別々の部屋とすると空間的には贅沢とい
えるが、入居者同士が孤立してしまい、互いに安心できる「なじみの場所」や「なじみの
関係」が形成されにくいという問題がある。これと逆に、生活の核となる一つの空間を談
話室，食堂及びデイルーム等として兼用することができれば、入居者同士が同じ空間，同
じ時間を共有する機会が増え、互いに安心できる「なじみの場所」や「なじみの関係」が
形成されやすくなる。
【００１１】
なお、実開昭６３−２０２３３１号公報では、配膳車の側面にオーブントースターを配
設し、給食直前に配膳車において調理・加工を行い、受給者に美味新鮮な食事を提供する
ことができる配膳車が提案されている。
【００１２】
しかしオーブントースターでは、可能な調理が「焼く」の一部に限定され（例えば、ト
ーストやグラタン等を焼くことはできるが、焼き肉，焼きそば，お好み焼き等を焼くこと
はできない）、毎食事の多種多様なメニューに対応して「煮る」「焚く」「炒める」「揚
げる」とった一般的な調理ができないといった問題がある。また、ガス又は電気のいずれ
のオーブントースターも高温の熱源により調理を行うものであるから、痴呆症の老人など
を含む介護施設の入居者に使用させるには安全性に問題がある。
【００１３】
本発明は、上記従来の問題点に鑑みてなされたものであり、ユニットケアにおいて、各
ユニットを構成する入居者全員に簡単な調理の機会を与えることによって痴呆の進行防止
等に役立つとゝもに、一つの空間を談話室，食堂およびデイルーム等として兼用すること
ができ、入居者同士が互いに安心できる「なじみの場所」や「なじみの関係」の形成に寄
与するユニットケア用配膳車及び該配膳車を用いたユニットケア方法を提供することを目
的としたものである。
【課題を解決するための手段】
【００１４】
上記の目的を達成するために、本願の第１発明は、介護施設において実施されるユニッ
トケアに用いる配膳車であって、各ユニットを構成する入居者の食事又は食材の収納が可
能な棚部を備えた配膳車本体にキャスターを設けて走行可能とするとゝもに、該配膳車本
体の上部に電磁調理器を配設したことを特徴とするユニットケア用配膳車である。
【００１５】
また、上記の目的を達成するために、本願の第２発明は、前記入居者の食事メニューに
調理を必要とする少なくとも一品を含み、食事のときに前記ユニットケア用配膳車を搬送
して食卓の近傍に配置し、前記入居者各人又は入居者のうちの担当者或いは介護スタッフ
が、前記調理を必要とする食品を前記ユニットケア用配膳車に設置した電磁調理器で調理
することを特徴とするユニットケア方法である。
【発明の効果】
【００１６】
本発明のユニットケア用配膳車は、配膳車本体の上部に電磁調理器を配設したので、煮
る，焚く，炒める，揚げる，（フライパンなどの上で）焼くとった本格的なものから、電
磁誘導加熱が可能な食器に入れたスープやみそ汁を個別に温め直す程度の極めて簡単なも
のまで入居者自身が調理することができる。
【００１７】
また、本発明のユニットケア方法は、搬送して食卓の近傍に配置した前記ユニットケア
用配膳車により入居者自身等に調理を行わせることができるので、入居者に家庭的・人間
的な介護を施すことができるとゝもに、互いのコミュニケーションの機会をつくることが
でき。入居者の痴呆進行防止にも役立つ。また、全く調理ができない入居者でも、他の入
居者等の調理中の臭いや音によって食欲が増進される。
【００１８】
さらに、本発明のユニットケア用配膳車及び該ユニットケア用配膳車を用いたユニット
ケア方法によれば、各ユニットごとにキッチン付きの食堂を設ける必要がなくなるので、
一つの空間を談話室，食堂及びデイルーム等として兼用することができ、入居者同士が互
いに安心できる「なじみの場所」や「なじみの関係」の形成に役立つ、といった諸効果が
ある。
【発明を実施するための最良の形態】
【００１９】
以下、本発明を図面に示す形態に基づいて詳細に説明すると、図において、１はユニッ
トケア用配膳車で、配膳車本体１０とキャスター１５と電磁調理器２０から主に構成され
ている。前記配膳車本体１０は、断面略Ｌ字のフレーム１１とパネル１２との組合せによ
り形成した箱型体の内部を、五枚の棚板１３ａで仕切って六段の棚部１３を設け、該棚部
１３の正面にガラス張りの開閉扉１４を取り付けた構成としてある。
【００２０】
また、前記配膳車本体１０の下部にはその四隅近傍にキャスター１５がそれぞれ設けて
あり、各キャスター１５の外側をキャスターカバー１６によって覆ってあり、該キャスタ
ーカバー１６の背面側には蓋付きのコード収納部１７が凹設してある。なお、キャスター
１５を含めた前記配膳車本体１０の寸法は通常のガス台と同様、高さ６５cm前後，幅６０
cm程度としてある。
【００２１】
前記配膳車本体１０内にはトレイに載せた約６〜１２人分の食事を棚部１３に収納する
ことができ、該棚部１３を形成する前記棚板１３ａを適宜取り外せば、未調理の食材を収
納することもできる。また、剛性を必要するフレーム１１以外の構成部品に耐熱性合成樹
脂を多用することによって軽量化を図り、お年寄りでも容易に搬送することができるよう
にしてある。なお、従来の配膳車と異なり、配膳車本体１０の内部には料理を保温するた
めの加熱器機や電源などの設備を一切装備してないが、保温するための加熱器機は装備し
ていても勿論良い。
【００２２】
一方、前記電磁調理器２０は配膳車本体１０の上部に搭載してあり、結晶ガラス製のト
ッププレート２１の下には、図示しない２つの電磁誘導加熱コイルが内蔵してある。これ
ら電磁誘導加熱コイルの位置を示すべく、トッププレート２１の各電磁誘導加熱コイルに
対応する位置にはそれぞれ円形マーク２１ａを表示してある。
【００２３】
また、電磁調理器２０の正面には、所定角度に傾斜させたコントロールパネル２２が突
設してあり、該コントロールパネル２２には前記電磁誘導加熱コイルの入スイッチ２２ａ
，切スイッチ２２ｂ及び加熱温度を調整するためのアップダウンスイッチ２２ｃ，２２ｄ
がそれぞれ設けてある。これらのスイッチ２２ａ〜２２ｄはいずれも操作が簡単なタッチ
パネル式としてある。さらに、アップダウンスイッチ２２ｃ，２２ｄの上部には、前記電
磁誘導加熱コイルの加熱レベルを示すインジケータランプ２２ｅが設けてある。
【００２４】
これに加え、電磁調理器２０の背面には、ユニットケア用配膳車１を走行させるための
ハンドルバー２３が固定してあり、調理を行うときにタオル掛などとして利用することが
できる。なお、本発明に係るユニットケア用配膳車は上述した実施形態に限定されるもの
ではない。例えば、上記ユニットケア用配膳車１は電磁誘導加熱コイルを備えた電磁調理
器２０を搭載した構成としたが、この場合は２００Ｖの電源を必要とするので、電磁誘導
加熱コイルを一つとして１００Ｖ電源で使用できるようにしてもよい。
【００２５】
次に、本ユニットケア用配膳車１を用いたユニットケア方法の実施形態について、図６
を参照しつつ説明すると、例えば、１ユニットを１２人の入居者と３人の介護スタッフで
構成し、該ユニットをさらに６人ずつの２グループに分ける。１グループに１人又は１．
５人の介護スタッフと６人掛けのテーブル３０及びユニットケア用配膳車１を一台あるい
は複数台用意する。
【００２６】
ここで、食事のメニューは魚のソテー３１，サラダ３２，御飯３３，みそ汁３４，デザ
ート３５と仮定すると、まず、他のユニット又はグループと共用のキッチンで、調理を必
要とする魚のソテー３１を除くサラダ３２，御飯３３，みそ汁３４，デザート３５などを
調理する。当該調理は包丁やガスコンロ等を使用するため、比較的痴呆の程度の軽い入居
者２，３人が担当し、介護スタッフ１人が付き添う。
【００２７】
次いで、魚のソテー３１を除く６人分の料理を各トレーに分配し、これらをユニットケ
ア用配膳車１の棚部１３に収納して食卓まで搬送する。グループ内に調理のできない入居
者がいる場合は、当該入居者にこれらの搬送作業を担当させることが望ましい。この場合
も、介護スタッフ１人が付き添う。
【００２８】
前記ユニットケア用配膳車１をグループの食卓３０まで搬送し、該食卓３０と隣接して
設置したならば、介護スタッフが料理の載ったトレーを入居者各人の席に分配するとゝも
に、ユニットケア用配膳車１の電磁調理器２０及びフライパン４０を使って魚のソテー３
１を調理する。
【００２９】
当該調理はある程度痴呆の進行した入居者でも料理は長年経験してきたものであるから
自分のものを自分で行わせる。すなわち、入居者各人に自分のものを順番に電磁調理器２
０を使って魚のソテー３１を調理するなど、各入居者自身Ｍに自分自身の食事を調理させ
たり、或いは自分自身の食事と複数人の入居者の食事を調理させる。なお、前記電磁調理
器２０は火を使わないので、入居者の誰にでも担当させることができる。
【００３０】
さらに、上述した特許文献に開示されているように、食器の裏面に金属泊等の発熱体を
貼付すれば、入居者の好みに応じて個別にみそ汁３４を暖め直すこともできる。但し、過
度の加熱や火傷を防止するため、この場合も介護スタッフ１人が付き添う。また当然であ
るが、電磁調理器２０は、魚の切り身をフライパンなどの上で「焼く」以外に、「煮る」
「焚く」「炒める」「揚げる」といった一般的な調理をすることもでき、朝昼晩の食事ご
とに少なくとも一品、簡単な調理を入居者にさせることができる。
【図面の簡単な説明】
【００３１】
【図１】本発明に係るユニットケア用配膳車の斜視図である。
【図２】同配膳車の正面図である。
【図３】同配膳車の平面図である。
【図４】同配膳車の右側面図である。
【図５】同配膳車の背面図である。
【図６】同配膳車を使用したユニットケア方法の説明図である。
【符号の説明】
【００３２】
１  ユニットケア用配膳車
１０  配膳車本体
１１  Ｌ字フレーム
１２  パネル
１３  棚部
１４  開閉扉
１５  キャスター
１６  キャスターカバー
１７  コード収納部
２０  電磁調理器
２１  トッププレート
２１ａ  マーク
２２  コントロールパネル
２２ａ  入スイッチ
２２ｂ  切スイッチ
２２ｃ  アップスイッチ
２２ｄ  ダウンスイッチ
２２ｅ  インジケータ
２３  ハンドルバー
３０  食卓
３１  調理を必要とする食品
【図１】
2005034438.tif 000003
【図２】
2005034438.tif 000004
【図３】
2005034438.tif 000005
【図４】
2005034438.tif 000006
【図５】
2005034438.tif 000007
【図６】
2005034438.tif 000008